(57)【要約】      （修正有）【課題】使用の楽しみが増すバルーン用の吹込装置を提供する。【解決手段】バルーン用の吹込装置１０が、第１の端１１０及び第２の端１２０を有し、これらの端１１０、１２０を通じる内部的な空気通路を含む、中空の本体１００を有する。第１の端１１０は、空気が空気通路を介して第２の端１２０からバルーン内に吹き込まれるようバルーンの口と接続可能である。空気通路内の空気弁２００が、第１の端１１０から第２の端１２０への方向においてバルーンの内側から漏れ出る空気の通過を遮断するように動作可能である。更にバッテリによって作動するエフェクト生成器３００や、エフェクト生成器３００をオン及びオフにするための操作手段４００を含む。【選択図】図１
0003229522.tif 000002
【実用新案登録請求の範囲】
【請求項１】
バルーンのための吹込装置であって、
第１の端及び第２の端を有し、前記第１の端及び前記第２の端を通じる内部的な空気通路を含み、前記第１の端は、空気が前記空気通路を介して前記第２の端から前記バルーン内に吹き込まれるために前記バルーンの口と接続可能である、中空の本体と、
前記第１の端から前記第２の端への方向において前記バルーンの内側から漏れ出る空気の通過を遮断するように動作可能である、前記空気通路内の空気弁と、
前記本体に設けられるエフェクト生成器であって、バッテリによって作動させられるエフェクト生成器と、
該エフェクト生成器をオン及びオフにするために前記本体に設けられる操作手段とを含む、
吹込装置。
【請求項２】
前記エフェクト生成器は、光生成器及び音生成器のうちの少なくとも１つを含む、請求項１に記載の吹込装置。
【請求項３】
前記エフェクト生成器は、前記本体の前記第１の端に又はその近傍に配置される光源を含む光生成器を含む、請求項２に記載の吹込装置。
【請求項４】
前記空気弁は、前記バルーンの内側にある空気によって作用されて前記空気弁を閉じるように構成される弁部材を含む、請求項１又は２に記載の吹込装置。
【請求項５】
前記弁部材は、前記空気通路に亘って延在し、前記バルーンの内側にある空気による作用のために前記バルーンの内部に面する、請求項４に記載の吹込装置。
【請求項６】
前記弁部材は、前記本体の前記第１の端に設けられる、請求項４又は５に記載の吹込装置。
【請求項７】
前記空気弁は、前記バルーンの内側にある空気によって作用されて前記空気弁を閉じるために前記本体の前記第１の端に亘って延在し、前記光源は、前記弁部材の背後に設けられる、請求項３に記載の吹込装置。
【請求項８】
前記弁部材は、透明な又は半透明な材料で作られる、請求項７に記載の吹込装置。
【請求項９】
前記空気弁は、前記本体の部分によって提供される弁座を含む、請求項４乃至８のうちのいずれか１項に記載の吹込装置。
【請求項１０】
前記弁座は、前記本体の前記第１の端によって提供される、請求項９に記載の吹込装置。
【請求項１１】
前記弁座は、平坦な円筒状の形状を有し、前記弁座を受けるために前記本体の半径方向外方に延在する、請求項９又は１０に記載の吹込装置。
【請求項１２】
前記弁座は、前記本体の前記第１の端の周りのフランジを含み、該フランジは、前記バルーンの前記口と係合するための直角の段を提示する、請求項１１に記載の吹込装置。
【請求項１３】
前記エフェクト生成器は、前記弁部材に設けられる、請求項４乃至１２のうちのいずれか１項に記載の吹込装置。
【請求項１４】
前記光源は、前記弁部材に設けられる、請求項３に従属するときの請求項４乃至１２のうちのいずれか１項に記載の吹込装置。
【請求項１５】
前記操作手段は、前記エフェクト生成器の電力回路の閉鎖をもたらす閉鎖位置への前記本体内の移動のために支持される操作部材を含む、請求項１乃至１４のうちのいずれか１項に記載の吹込装置。
【請求項１６】
前記操作部材は、前記空気弁の弁部材又は前記弁部材と共に移動するように構成される、請求項１５に記載の吹込装置。
【請求項１７】
前記操作部材は、同時の移動のために前記弁部材と接続される、請求項１６に記載の吹込装置。
【請求項１８】
前記操作部材は、１つの方向に移動して前記エフェクト生成器をオンにし、反対の方向に移動して前記弁部材を前記空気弁の開位置に移動させる、ように構成される、請求項１６又は１７に記載の吹込装置。
【請求項１９】
前記操作手段は、操作部を含み、該操作部は、前記操作部材を１つの方向において閉位置に移動させ、反対の方向において前記閉位置から離れて移動させる、ように構成される、請求項１５乃至１８のうちのいずれか１項に記載の吹込装置。
【請求項２０】
前記操作部は、前記本体の前記第２の端に設けられる、請求項１９に記載の吹込装置。
【請求項２１】
前記空気弁は、前記バルーンの内側から漏れ出す空気の通過を遮断するよう通常閉である、請求項１乃至２０のうちのいずれか１項に記載の吹込装置。
【請求項２２】
前記空気弁は、前記バルーンの内側から漏れ出す空気の通過を遮断するよう使用中に通常閉であり、前記空気弁は、弁座と、該弁座と係合し、それによって、前記バルーンの内側にある加圧空気の作用の下で、前記空気弁を閉じるように構成される、弁部材とを含む、請求項１乃至３のうちのいずれか１項に記載の吹込装置。
【請求項２３】
前記空気弁は、前記本体の前記第１の端に設けられ、前記弁部材から前記本体の前記第２の端に延びる操作部材によって作動させられ、該操作部材は、前記弁座を開放するよう前記第２の端で加えられる力によって移動可能である、請求項２２に記載の吹込装置。
【請求項２４】
前記空気弁及び前記エフェクト生成器は、それらがオン及びオフになる点で、相補的な方法において作動するように構成される、請求項１乃至２３のうちのいずれか１項に記載の吹込装置。
【請求項２５】
前記本体は、中心軸を有する円筒状の管を含み、前記空気弁及び前記エフェクト生成器は、前記中心軸に沿って同軸配置において提供される、請求項１乃至２４のうちのいずれか１項に記載の吹込装置。
【考案の詳細な説明】
【技術分野】
【０００１】
本考案は、バルーン(風船)(balloon)用の吹込装置(blowing  device)に関する。
【背景技術】
【０００２】
バルーンにおける使用のための吹込装置は概ね知られているが、全部ではないにしても、大部分はブロア(blower)としての使用のためだけに設計されている。機能性に関して、吹込装置は、しばしば、バルーンが膨張させられた後に脇に置かれる。使用の楽しみに関して、吹込装置は、単に欠けている。
【考案の概要】
【考案が解決しようとする課題】
【０００３】
本考案は、バルーンのための新しい又はさもなければ改良された吹込装置を提供することによって、そのような欠点を除去するか或いは少なくとも緩和しようとする。
【課題を解決するための手段】
【０００４】
本考案によれば、第１の端及び第２の端を有し、第１の端及び第２の端を通じる内部的な空気通路を含む、中空の本体を含む、バルーンのための吹込装置が提供される。第１の端は、空気が空気通路を介して第２の端からバルーン内に吹き込まれるためにバルーンの口(マウス)／首(ネック)と接続可能である。空気通路内の空気弁が、第１の端から第２の端への方向においてバルーンの内側から漏れ出る空気の通過を遮断するように動作可能である。バッテリによって作動させられる、本体に設けられるエフェクト生成器や、エフェクト生成器をオン及びオフにするために本体に設けられる操作手段も含められる。
【０００５】
好ましくは、エフェクト生成器は、光生成器及び音生成器のうちの少なくとも１つを含む。
【０００６】
より好ましくは、エフェクト生成器は、本体の第１の端に又はその近傍に配置される光源を含む光生成器を含む。
【０００７】
空気弁は、バルーンの内側にある空気によって作用されて空気弁を閉じるように構成される弁部材を含むことが好ましい。
【０００８】
弁部材は、空気通路に亘って延在し、バルーンの内側にある空気による作用のためにバルーンの内部に面することが更に好ましい。
【０００９】
弁部材は、本体の第１の端に設けられるのが更に好ましい。
【００１０】
好ましい実施形態において、空気弁は、バルーンの内側にある空気によって作用されて空気弁を閉じるために本体の第１の端に亘って延在し、光源は、弁部材の背後に設けられる。
【００１１】
より好ましくは、弁部材は、透明な又は半透明な材料で作られる。
【００１２】
好ましい実施形態において、空気弁は、本体の部分によって提供される弁座を含む。
【００１３】
より好ましくは、弁座は、本体の第１の端によって提供される。
【００１４】
より好ましくは、弁座は、平坦な円筒状の形状(flat-cylindrical  shape)を有し、弁座を受けるために本体の半径方向外方に延在する。
【００１５】
更により好ましくは、弁座は、本体の第１の端の周りのフランジを含み、フランジは、バルーンの口(mouth)と係合するための直角の段(step)を提示する。
【００１６】
エフェクト生成器は、弁部材に設けられるのが好ましい。
【００１７】
光源は、弁部材に設けられるのが好ましい。
【００１８】
好ましい実施形態において、操作手段は、エフェクト生成器の電力回路の閉鎖をもたらす閉鎖位置への本体内の移動のために支持される操作部材を含む。
【００１９】
より好ましくは、操作部材は、前記空気弁の弁部材又は前記弁部材と共に移動するように構成される。
【００２０】
更により好ましくは、操作部材は、同時の移動のために弁部材と接続される。
【００２１】
更により好ましくは、操作部材は、１つの方向に移動してエフェクト生成器をオンにし、反対の方向に移動して弁部材を空気弁の開位置に移動させる、ように構成される。
【００２２】
操作手段は、操作部を含み、操作部は、操作部材を１つの方向において閉位置に移動させ、反対の方向において閉位置から離れて移動させる、ように構成されることが好ましい。
【００２３】
操作部は、本体の第２の端に設けられるのが更に好ましい。
【００２４】
有利には、空気弁は、バルーンの内側から漏れ出す空気の通過を遮断するよう通常閉(normally-closed)である。
【００２５】
好ましい実施形態において、空気弁は、バルーンの内側から漏れ出す空気の通過を遮断するよう使用中に通常閉であり、空気弁は、弁座と、弁座と係合し、それによって、バルーンの内側にある加圧空気の作用の下で、空気弁を閉じるように構成される、弁部材とを含む。
【００２６】
より好ましくは、空気弁は、本体の第１の端に設けられ、弁部材から本体の第２の端に延びる操作部材によって作動させられ、操作部材は、弁座を開放するよう第２の端で加えられる力によって移動可能である。
【００２７】
空気弁及びエフェクト生成器は、それらがオン及びオフになる点で、相補的な方法において作動するように構成されることが好ましい。
【００２８】
本体は、中心軸を有する円筒状の管を含み、空気弁及びエフェクト生成器は、中心軸に沿って同軸配置において提供されることが好ましい。
【００２９】
次に、添付の図面を参照して、ほんの一例として、本考案をより具体的に記載する。
【図面の簡単な説明】
【００３０】
【図１】本考案に従ったバルーン用の吹込装置のある実施形態の分解斜視図である。
【図２】図１の吹込装置の側断面図であり、その空気弁は開いており、そのエフェクト生成器はオフ状態にある。
【図３】閉じられた空気弁及びオン状態にあるエフェクト生成器を示す、図２に対応する側断面図である。
【考案を実施するための形態】
【００３１】
図面の図１〜図３を参照すると、本考案を具現するバルーン(風船)(balloon)のための吹込装置１０(blowing  device)が示されており、吹込装置１０は、第１の端１１０と、第２の端１２０とを備え、第１の端１１０及び第２の端１２０を通じる内部空気通路Ｐを含む、中空本体１００を有する。本体１００は、円筒状チューブの形態にある。その第１の端１１０（又は以下で呼ばれるような前方端１１０）は、延伸されてその上に配置されることによって、空気が空気通路Ｐを介して第２の端１２０又は以下で呼ばれるような後方端１２０からユーザによってバルーン２０内に吹き込まれるために、バルーン２０の口２１と接続可能である。空気通路Ｐ内に設けられる空気弁２００があり、空気弁２００は、バルーン２０が膨張させられたままであってよいように、前方端１１０から後方端１２０への方向においてバルーン２０の内側から漏れる空気の通過を遮断するように作動可能である。空気弁２００は、バルーン２０の内側から漏れる空気の通過を遮断するよう、通常閉鎖されることが好ましい。
【００３２】
吹込装置１０は、バッテリによって作動させられ、楽しさを加える働きをする、本体１００に設けられたエフェクト生成器３００(効果生成器)(effect  generator)や、エフェクト生成器３００をオン／オフにするために本体１００に設けられた作動手段４００(operating  means)も含む。管状の本体１００は、中心軸を有し、空気弁２００及びエフェクト生成器３００は、中心軸に沿って同軸配置において設けられる。
【００３３】
一般的に言えば、エフェクト生成器３００は、光生成器及び音生成器のうちの少なくとも１つを含む。記載の実施形態において、エフェクト生成器３００は、使用中に光をバルーン２０内に直接的に照射するために本体１００の前方端１１０又はその近傍に配置された光源３１０を含む光生成器３００を含む。光源２１０は、ＬＥＤ電球２１０によって実装される。
【００３４】
空気弁２００は、弁部材２１０と、弁座２２０とを含み、弁部材２１０は、弁座２２０と協働して、弁の閉鎖及び開放機能を行う。弁部材２１０は、本体１００の前方端１１０に設けられており、よって、弁座２２０である。弁座２２０は、本体１００の一体的な部分である、前方端１１０によって提供される。弁座２２０（即ち、前方端１１０）は、平坦な円筒状の形状(flat-cylindrical  shape)を有し、弁部材２１０を受け入れるために本体１００の半径方向外方に延びる。
【００３５】
管状本体１００が円筒形の形状であるならば、弁座２２０は、同様の形作られるが、比較的より幅広であり、より一層短く、中心軸に沿って取られた断面において文字「Ｔ」の形状に類似する形状を有する本体１００のヘッド２２０Ａを形成する。Ｔ形状ヘッド２２０Ａは、吹込装置１０に留まるよう、内側からその口（又は首）２１によって、バルーン２０に確実に係合してバルーン２０を保持するために、半径方向に突出するバリア(障壁)として作用する。具体的には、Ｔ形状ヘッド２２０Ａは、本体１００の前方端１１０に及びその周囲に円形のフランジを含み、フランジは、断面において、横方向突起２２０Ｂを提供し、横方向突起２２０Ｂは、本体１００の周辺表面から直角に突出し、バルーン２１の口２１に係合するための前記バリアとして作用する直角の段(ステップ)を提示する。
【００３６】
弁部材２１０は、円形の形状を有し、より具体的には、円筒状の山(crown)と平坦な環状の鍔(brim)とを有する帽子に似た形状を有し、透明又は半透明の材料で作られる。弁部材２１０は、本体１００のＴ形状の前方端１１０を横切って、部分的にその内側に延び、故に、バルーン２０の内側の加圧空気によって作用され、それによって、空気弁２００を閉鎖して、それを閉鎖されたままにするために、（バルーンの口２１を通じて）バルーン２０の内部に面する使用中の位置において、空気通路Ｐを横切って延びる。
【００３７】
エフェクト生成器３００、特に、ＬＥＤ電球３１０は、弁部材２１０の山部内に配置されて、弁部材２１０に又はその背後に設けられる。弁部材２１０が使用中にバルーン２０の内部に面するならば、ＬＥＤ電球３１０は、バルーン２０内に直接的に光を照射し、それによって、バルーン２０を内側から照らして、バルーンと遊ぶために或いは表示のためにバルーンを視覚的に魅力的にする。
【００３８】
ＬＥＤ電球３１０は、その２つの端子３１１／３１２の第１の端子３１１を有し、第１の端子３１１は、後方に延ばされ、次に、第２の端子３１２と空間Ｑを形成するよう折り畳まれ、その空間Ｑ内に、３つのバッテリセル３１３の積重ねが、ＬＥＤ電球３１０を通電させるためにＬＥＤ電球３１０の直ぐ背後に同軸に配置される。バッテリセル３１３を有する２つの端子３１１／３１２は、電力回路を共に形成し、電力回路は、第１の端子３１１の自由端３１１Ａと最後のバッテリセル３１３の露出したカソード３１３Ａとの間に残されたギャップＲの存在によって通常開(ノーマルオープン)である。電力回路は、カソード３１３Ａに対して終端３１１Ａ(terminal  end)を押し付け、それにより、ギャップＲを閉じ、それ故、ＬＥＤ電球３１０をオンにすることによって、完成される。
【００３９】
ＬＥＤ電球３１０及びバッテリセル３１３は、プラグの形状に類似する形状の光モジュール３００Ａを共に形成する。
【００４０】
次に、操作手段４００を参照すると、操作手段４００は、管状本体１００内に同軸に配置された長円形の操作部材４１０によって提供され、好ましくは、後方端１２０で同軸に接続された管状ノブ４２０の形態の、操作部を含む。操作部材４１０は、その前方端にエンドキャップ４１１を備える管のような本体と、一対の脚４１２を形成するようその両側にある２つの長円形の切欠きとを有し、各脚４１２は、その外面に後方に面する段４１３を備える自由端を有する。ブリッジ４１４が、エンドキャップ４１１の軸方向に背後の位置で、２つの脚４１２に亘って直径方向に延びる。ノブ４２０は、その内面にある及びその内面の周囲にある段によって形成された環状トラック４２１を有し、環状トラック４２１は、それぞれのカム４２２を提供する一対の正反対の隆起部分を含む。ノブ４２０は、ノブの内面の両側に亘って直径方向に延びるブリッジ４２３を含む。
【００４１】
外部的に、エンドキャップ４１１は、弁部材２１０を位置決めし且つ支持し、弁部材２１０は、エンドキャップ４１１の上に及び周囲に同軸的にスナップ嵌めされる。内部的に、エンドキャップ４１１は、ＬＥＤ電球３１０が前方を指す状態で、エンドキャップ内で同軸に光モジュール３００Ａを保持する。エンドキャップ４１１は、ＬＥＤ電球３１０がエンドキャップ４１１及び弁部材２１０を通じてバルーン２０内に光を照射することがあるように、透明な（又は半透明な）材料で作られる。
【００４２】
組み立てのために、操作部材４１０は、前方端１１０を介して本体１００内に後方に挿入され、次に、その２つの脚４１２は、後方端１２０から突出し、ノブ４２０と接続される。脚４１２は、それぞれのカム４２２とのカム作用のために、ノブ４２０のトラック４２１を用いて段４１３によってノブ４２０とラッチする。
【００４３】
挿入の間に、脚４１２は、それらの間のブリッジ４１４を越えて延び、最終的に、光モジュール３００Ａが、特に終端３１１Ａがブリッジ４１４の直ぐ手前に到達する（図２）、軸方向位置で停止する。この位置において、終端３１１Ａは、カソード３１３Ａから離れている（即ち、ギャップＲは影響を受けない）ので、ＬＥＤ電球３１０は、オフにされたままである。この状態は、操作部材４１０のＯＮ位置とは対照的な、操作部材４１０のＯＦＦ位置に対応し、それらの位置の間で、操作部材４１０は、反対方向に回転した後に、ノブ４２０によって移動可能である。
【００４４】
ＯＮ位置において、操作部材４１０は、終端３１１Ａがブリッジ４１４（図３）によって停止された状態で先に進み、それによって、終端３１１Ａは、カソード３１３Ａに当たり(takes  on)、故に、カソード３１３Ａと接触するようになる（即ち、ギャップＲが閉じられる）ので、ＬＥＤ電球３１０はオンにされる。
【００４５】
操作部材４１０は、ノブ４２０によってもたらされる前述のカム作用を受け、その脚４１２は、ノブ４２０が回転させられるときに、それらの段４１３がそれぞれのカム４２２によって押し上げられるときに、トラック４１２上の休止位置から上昇位置に移動させられる。脚４１２は、ノブ４２０が逆方向の回転後に、休止位置に戻ることが可能にされる。
【００４６】
休止位置において、（操作部材４１０によって支持される）弁部材２１０は、弁座２２０から離れているので（図２）、空気弁２００は、操作部材４１０の開位置に対応して、空気が吹込装置１０を通じてバルーン２０内に吹き込まれることが可能であるよう、開いている。
【００４７】
上昇位置に向かって、操作部材４１０は、カム４２２によって本体１００に対して後方である方向において上方に移動させられ、その結果、操作部材は、弁部材２１０を弁座２２０に接触させ、それによって、弁２００を閉じる（図３）。この位置において、空気弁２００は、操作部材４１０の閉位置に対応して、空気がバルーン２０の内側から漏れ出るのを阻止する（ことによって、バルーン２０を膨張状態に維持する）よう、遮断される。
【００４８】
一般的に言えば、操作部材４１０は、閉位置への本体１００内の移動のために支持されて、エフェクト生成器３００の電力回路の閉塞をもたらし、操作部材４１０は、空気弁２００の弁部材２１０と共に移動するように構成される。単純性のために、操作部材４１０は、弁部材２１０との同時の移動のために、弁部材２１０と接続される。
【００４９】
操作部材４１０のオフ位置がその開位置でもあること（図２）並びにオン位置がその閉位置に対応すること（図３）が前述の記載から明らかである。操作部材４１０は、（エフェクト生成器３００をオンにして空気弁２００を閉じるために）ノブ４２０によって１つの方向においてオン／閉位置に移動可能であり、（エフェクト生成器３００をオフにして空気弁２００を開くために）反対方向においてオン／閉位置から離れてオフ／開位置へ移動可能である。
【００５０】
全体として、空気弁２００は、エフェクト生成器３００がオンにされるときに閉鎖され（即ち、オフにされ）、空気弁２００は、エフェクト生成器３００がオフにされるときに開放される（即ち、オンにされる）。よって、空気弁２００とエフェクト生成器３００は、それらがオンにされ且つオフされる点で、相補的な方法において作動するように構成される。
【００５１】
吹込装置１０は、バルーン２０に取り付けられたままである間に、単純なユーザの行為の後にバルーン２０が収縮することを可能にするという点で、特に有用である、追加的な機能を提供する。上述のように、弁部材２１０は、バルーン２０の内側の加圧空気の作用の下で弁座２２０と係合するように構成され、それによって、空気弁２００を閉鎖するか或いは空気弁２００を閉鎖した状態に維持する。空気弁２００は、バルーン２０の内側から漏れ出る空気の通路を遮断するよう、使用中、通常閉(ノーマルクローズ)である。
【００５２】
空気弁２００は、本体１２０の前方端１１０に設けられ、本体１００の後方端１２０に達するよう弁部材２１０からに延びる操作部材４１０によって作動させられ、本体の後方端で、操作部材４１０は、段４１３を支持するその自由端によってノブ４２０とラッチする。ノブ４２０を通じてその自由端を押すことによって、操作部材４１０は、弁部材２１０を弁座２２０から分離するのに十分な程度まで、バルーン２０の内側の加圧空気の作用に抗して、僅かに内方に押され、それによって、空気弁２００を開き、それ故、バルーン２０が収縮するのを可能にすることがある。次に、バルーン２０はしまっておかれ、再使用されてよい。これは吹込装置１０を使用する別の利点である。
【００５３】
操作部材４１０を内方に押す力は、本体の後方端１２０に（即ち、ノブ４２０を通じて）加えられることに留意のこと。また、操作部材４１０が内方に押されてよい程度は、バルーン２０の内側の加圧空気の作用の下で弁座２２０に到達するための弁部材２１０の移動の程度に対応するか、或いはそれによってもたらされる。全体として、僅かに過ぎないが、バルーン２０の内側の空気による空気弁２００の自己閉鎖及び／又はユーザによる手動開放を可能にするには十分な、即ち、操作部材４１０を内方に押し込むことによる外側からの、弁座２２０に対する弁部材２１０の特定の移動の自由度がある。
【００５４】
僅かに異なる実施形態において、弁座２２０（即ち、前方端１１０）は、トランペット又はベル形状を有する。弁座２２０は、弁部材２１０を受け入れるために本体１００の外方にフレア状であり、弁部材２１０は、本体１００のベル形状の前方端１１０に亘って並びに部分的にその内に延び、故に、空気通路Ｐを遮断又は開放するために空気通路Ｐに亘って延びる。
【００５５】
主題の考案に従った吹込装置１０は、バルーン２０を膨らまされた状態に維持するよう取り付けられたままであるように並びにエフェクト生成器３００によってもたらされる光及び／又は音効果によって楽しみを加えるように設計される。
【００５６】
本考案は、ほんの一例として与えられ、記載する実施形態に対する様々な修正及び／又は変更が、添付の請求項に特定されるような本考案の範囲から逸脱することなく、当業者によって行われることがある。
【図１】
0003229522.tif 000003
【図２】
0003229522.tif 000004
【図３】
0003229522.tif 000005